【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
血管内医療デバイスであって、前記医療デバイスは、
編組を備えている可撓な遠位延長部に接続された細長いシャフトであって、前記編組は、遠位開口部を画定する遠位リムと、近位開口部を画定する近位リムとを有し、前記シャフトおよび前記可撓な遠位延長部は、患者の血管系の中への挿入のために構成されている、細長いシャフトと、
前記近位開口部を横断して前記近位リムにおいて前記編組を通って延びているテザーの一部と、
前記テザーに張力を与えるように構成された近位ユーザインターフェースと
を備えている、医療デバイス。
【請求項２】
前記編組は、前記編組の２つの層を形成する第１の折り畳み部を有し、前記２つの層は、第２の折り畳み部を有し、前記第２の折り畳み部は、漏斗形状の構造の遠位リムにあり、前記第１の折り畳み部は、漏斗形状の構造の近位リムにある、請求項１に記載の医療デバイス。
【請求項３】
前記テザーの前記一部は、交差構成において前記近位開口部を２回横断して延びている、請求項２に記載の医療デバイス。
【請求項４】
前記テザーの前記一部は、第１のテザーの一部であり、前記医療デバイスは、前記近位リムを少なくとも部分的に包囲するループとして配置された第２のテザーの一部をさらに備えている、請求項３に記載の医療デバイス。
【請求項５】
前記第２のテザーの前記一部は、前記編組の２つの層間でループとして配置されている、請求項４に記載の医療デバイス。
【請求項６】
前記第２のテザーの前記一部は、前記近位開口部を完全に包囲している、請求項２に記載の医療デバイス。
【請求項７】
前記第１のテザーは、２つの端部を有し、前記第２のテザーは、２つの端部を有し、前記第１のテザーの２つの端部は、第１の管状支柱内に受け取られ、前記第２のテザーの２つの端部は、第２の管状支柱内に受け取られている、請求項４に記載の医療デバイス。
【請求項８】
前記第１および第２の管状支柱は、前記可撓な遠位延長部の前記近位開口部と前記細長いシャフトの遠位端との間に位置付けられている、請求項７に記載の医療デバイス。
【請求項９】
前記シャフト内に受け取られたコア部材をさらに備え、前記テザーは、前記コア部材の遠位端において接続されている、請求項１に記載の医療デバイス。
【請求項１０】
前記近位ユーザインターフェースは、前記コア部材に接続または取り付けられたトルカを備えている、請求項９に記載の医療デバイス。
【請求項１１】
雄ねじ付きインターフェースをさらに備え、前記トルカは、雌ねじ付きである、請求項１０に記載の医療デバイス。
【請求項１２】
前記細長いシャフトの近位端において接続されたスリーブをさらに備え、前記スリーブは、前記雄ねじ付きインターフェースを含む、請求項１１に記載の医療デバイス。
【請求項１３】
前記第１のテザーおよび第２のテザーは、前記近位開口部から前記近位ユーザインターフェースに向かって近位に延びている、請求項４に記載の医療デバイス。
【請求項１４】
前記第２のテザーは、前記近位開口部を２回横断し、直角交差構成を形成している、請求項５に記載の医療デバイス。
【請求項１５】
前記近位開口部は、下大静脈（ＩＶＣ）フィルタの回収インターフェースを捕獲するように構成される、請求項１に記載の医療デバイス。
【請求項１６】
異物を回収するためのシステムであって、前記システムは、
近位ユーザインターフェースと、
患者の血管系内で前進させるように構成された血管内医療デバイスであって、前記医療デバイスは、
編組を備えている可撓な遠位延長部に接続された細長いシャフトであって、前記編組は、遠位開口部を画定する遠位リムと、近位開口部を画定する近位リムとを有する、細長いシャフトと、
前記近位開口部を横断して前記近位リムにおいて前記編組を通って延びているテザーの一部と
を備えている、血管内医療デバイスと
を備え、
前記異物の一部は、前記近位開口部に通されるように構成され、
前記近位ユーザインターフェースは、前記異物が前記近位開口部を通って延びている状態で前記テザーに張力を与えるように構成されている、システム。
【請求項１７】
前記テザーは、反対端部を含み、前記テザーの前記反対端部は、互いの周囲で捻じられ、前記張力を与えるように構成されている、請求項１６に記載のシステム。
【請求項１８】
少なくとも１つの支柱をさらに備え、前記少なくとも１つの支柱は、前記張力を与える間、前記近位開口部を支持するように構成されている、請求項１６に記載のシステム。
【請求項１９】
前記血管内医療デバイスは、請求項１−１５のいずれかに記載されているように構成されている、請求項１６に記載のシステム。
【請求項２０】
前記血管内医療デバイスは、前記異物を前記患者の血管系から引き出すように構成されている、請求項１６に記載のシステム。
【請求項２１】
前記テザーは、交差構成における第１のテザーであり、前記血管内医療デバイスは、前記近位リムの周囲のループ構成における第２のテザーをさらに備えている、請求項１６に記載のシステム。
【請求項２２】
前記第１のテザーおよび前記第２のテザーは、前記異物が前記近位開口部を通って延びている状態で張力を与えられるように構成されている、請求項２１に記載のシステム。
【請求項２３】
前記異物は、下大静脈（ＩＶＣ）フィルタであり、前記異物の前記一部は、前記ＩＶＣフィルタの回収インターフェースである、請求項１６に記載のシステム。
【手続補正２】
【補正対象書類名】明細書
【補正対象項目名】０００７
【補正方法】変更
【補正の内容】
【０００７】
本明細書に説明される主題の他のシステム、デバイス、方法、特徴、および利点が、以下の図ならびに発明を実施するための形態の考察に応じて、当業者に明白であるか、または明白となるであろう。全てのそのような追加のシステム、デバイス、方法、特徴、および利点が、本説明内に含まれ、本明細書に説明される主題の範囲内であり、付随の請求項によって保護されることが意図される。例示的実施形態の特徴は、請求項にそれらの特徴の明確な列挙がない限り、添付される請求項を限定するものとして解釈されるべきでは全くない。
本発明は、例えば、以下を提供する。
（項目１）
血管内医療デバイスであって、前記医療デバイスは、
編組を備えている可撓な遠位延長部に接続された細長いシャフトであって、前記編組は、遠位開口部を画定する遠位リムと、近位開口部を画定する近位リムとを有し、前記シャフトおよび前記可撓な遠位延長部は、患者の血管系の中への挿入のために構成されている、細長いシャフトと、
前記近位開口部を横断して前記近位リムにおいて前記編組を通って延びているテザーの一部と、
前記テザーに張力を与えるように構成された近位ユーザインターフェースと
を備えている、医療デバイス。
（項目２）
前記編組は、前記編組の２つの層を形成する第１の折り畳み部を有し、前記２つの層は、第２の折り畳み部を有し、前記第２の折り畳み部は、漏斗形状の構造の遠位リムにあり、前記第１の折り畳み部は、漏斗形状の構造の近位リムにある、項目１に記載の医療デバイス。
（項目３）
前記テザーの前記一部は、交差構成において前記近位開口部を２回横断して延びている、項目２に記載の医療デバイス。
（項目４）
前記テザーの前記一部は、第１のテザーの一部であり、前記医療デバイスは、前記近位リムを少なくとも部分的に包囲するループとして配置された第２のテザーの一部をさらに備えている、項目３に記載の医療デバイス。
（項目５）
前記第２のテザーの前記一部は、前記編組の２つの層間でループとして配置されている、項目４に記載の医療デバイス。
（項目６）
前記第２のテザーの前記一部は、前記近位開口部を完全に包囲している、項目２に記載の医療デバイス。
（項目７）
前記第１のテザーは、２つの端部を有し、前記第２のテザーは、２つの端部を有し、前記第１のテザーの前記２つの端部は、第１の管状支柱内に受け取られ、前記第２のテザーの前記２つの端部は、第２の管状支柱内に受け取られている、項目４に記載の医療デバイス。
（項目８）
前記第１および第２の管状支柱は、前記可撓な遠位延長部の前記近位開口部と前記細長いシャフトの遠位端との間に位置付けられている、項目７に記載の医療デバイス。
（項目９）
前記シャフト内に受け取られたコア部材をさらに備え、前記テザーは、前記コア部材の遠位端において接続されている、項目１に記載の医療デバイス。
（項目１０）
前記近位ユーザインターフェースは、前記コア部材に接続または取り付けられたトルカを備えている、項目９に記載の医療デバイス。
（項目１１）
雄ねじ付きインターフェースをさらに備え、前記トルカは、雌ねじ付きである、項目１０に記載の医療デバイス。
（項目１２）
前記細長いシャフトの近位端において接続されたスリーブをさらに備え、前記スリーブは、前記雄ねじ付きインターフェースを含む、項目１１に記載の医療デバイス。
（項目１３）
前記第１のテザーおよび第２のテザーは、前記近位開口部から前記近位ユーザインターフェースに向かって近位に延びている、項目４に記載の医療デバイス。
（項目１４）
前記第２のテザーは、前記近位開口部を２回横断し、直角交差構成を形成している、項目５に記載の医療デバイス。
（項目１５）
前記近位開口部は、下大静脈（ＩＶＣ）フィルタの回収インターフェースを捕獲するように構成される、項目１に記載の医療デバイス。
（項目１６）
異物を回収する医療方法であって、前記医療方法は、
血管内医療デバイスを患者の血管系内で前進させることであって、
前記医療デバイスは、
編組を備えている可撓な遠位延長部に接続された細長いシャフトであって、前記編組は、遠位開口部を画定する遠位リムと、近位開口部を画定する近位リムとを有する、細長いシャフトと、
前記近位開口部を横断して前記近位リムにおいて前記編組を通って延びているテザーの一部と
を備えている、ことと、
回収されるべき異物の一部を前記近位開口部に通すことと、
前記異物が開口部を通って延びている状態で前記テザーに張力を与えることと
を含む、医療方法。
（項目１７）
前記テザーの反対端部を互いの周囲で捻じることにより、前記張力を与えることをさらに含む、項目１６に記載の医療方法。
（項目１８）
前記張力を与える間、前記近位開口部を少なくとも１つの支柱を用いて支持することをさらに含む、項目１６に記載の医療方法。
（項目１９）
前記血管内医療デバイスは、項目１−１５のいずれかに記載されているように構成されている、項目１６に記載の医療方法。
（項目２０）
前記異物を前記患者の血管系から前記血管内医療デバイスを用いて引き出すことをさらに含む、項目１６に記載の医療方法。
（項目２１）
前記テザーは、交差構成における第１のテザーであり、前記血管内医療デバイスは、前記近位リムの周囲のループ構成における第２のテザーをさらに備えている、項目１６に記載の医療方法。
（項目２２）
前記異物が前記近位開口部を通って延びている状態で前記第１のテザーおよび前記第２のテザーに張力を与えることをさらに含む、項目２１に記載の医療方法。
（項目２３）
前記異物は、下大静脈（ＩＶＣ）フィルタであり、前記異物の前記一部は、前記ＩＶＣフィルタの回収インターフェースである、項目１６に記載の医療方法。